(57)【要約】      （修正有）【課題】  相手コネクタとの嵌合時に、相手コネクタの接触子等との接触によって、接触子がずれることを防止する規制手段を有する電気コネクタを提供する。【解決手段】  第１コネクタ２の第１接触子２３は、第２コネクタとの嵌合側に向かって突出し且つ前記第２コネクタとの嵌合方向と交差する方向に延設された前記第１コネクタの配列部３１に複数配列されており、前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、嵌合時に、前記第１接触子の配列方向に沿って形成された凹凸と、前記第２接触子の配列方向に沿って形成された凸凹が互いに噛み合わされるようになっている。【選択図】  図１
2005100903.tif 000002
【特許請求の範囲】
【請求項１】
第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタにおいて、
前記第１コネクタの第１接触子は、前記第２コネクタとの嵌合側に向かって突出し且つ前記第２コネクタとの嵌合方向と交差する方向に延設された前記第１コネクタの配列部に複数配列されており、
前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、
前記第１コネクタと第２コネクタの嵌合時に、前記第１接触子の配列方向に沿って形成された凹凸と、前記第２接触子の配列方向に沿って形成された凸凹が互いに噛み合わされることを特徴とする電気コネクタ。
【請求項２】
第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタに用いる前記第１コネクタにおいて、
前記第１コネクタの第１接触子は、前記第２コネクタとの嵌合側に向かって突出し且つ前記第２コネクタとの嵌合方向と交差する方向に延設された前記第１コネクタの配列部に複数配列されており、
前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、
前記第１コネクタと第２コネクタの嵌合時に、前記第１接触子の配列方向に沿って形成された凹凸と、前記第２接触子の配列方向に沿って形成された凸凹が互いに噛み合わされることを特徴とする第１コネクタ。
【請求項３】
第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタに用いる前記第２コネクタにおいて、
前記第１コネクタの第１接触子は、前記第２コネクタとの嵌合側に向かって突出し且つ前記第２コネクタとの嵌合方向と交差する方向に延設された前記第１コネクタの配列部に複数配列されており、
前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、
前記第１コネクタと第２コネクタの嵌合時に、前記第１接触子の配列方向に沿って形成された凹凸と、前記第２接触子の配列方向に沿って形成された凸凹が互いに噛み合わされることを特徴とする第２コネクタ。
【請求項４】
前記第１コネクタにおける凹凸の凸部は、前記第１コネクタの第１接触子と前記配列部によって形成される請求項１又は２記載の電気コネクタ。
【請求項５】
前記第１コネクタにおける凹凸の凸部は、前記第１コネクタの第１接触子のみによって形成される請求項１又は２記載の電気コネクタ。
【請求項６】
前記第１コネクタにおける凹凸の凸部は、前記第１コネクタの配列部のみによって形成される請求項１又は２記載の電気コネクタ。
【請求項７】
前記第１コネクタの第１接触子は、前記配列部の凹凸の凸部の外側壁と近接した状態若しくは接した状態で配置される請求項１乃至５のいずれかに記載の電気コネクタ。
【請求項８】
前記第２コネクタの第２接触子は、前記嵌合空間の凸凹の凹部の内側壁と近接した状態若しくは接した状態で配置される請求項１乃至６のいずれかに記載の電気コネクタ。
【請求項９】
前記第１コネクタの第１接触子の片側側面が、前記配列部と近接した状態若しくは接した状態で配置され、前記第２コネクタの第２接触子の片側側面が、前記勘合空間と近接した状態若しくは接した状態で配置される請求項１乃至４のいずれかに記載の電気コネクタ。
【請求項１０】
前記第１コネクタの第１接触子の両側側面が、前記配列部と近接した状態若しくは接した状態で配置され、前記第２コネクタの第２接触子の両側側面が、前記勘合空間と近接した状態若しくは接した状態で配置される請求項１乃至３および５のいずれかに記載の電気コネクタ。
【請求項１１】
前記第１コネクタの配列部に前記第２コネクタとの嵌合側に前記第２コネクタを誘い込むための斜面が形成されており、又は、前記第２コネクタの嵌合空間の壁面の前記第１コネクタとの嵌合側に前記第１コネクタを誘い込むための斜面が形成されている請求項１乃至９のいずれかに記載の電気コネクタ。
【発明の詳細な説明】
【技術分野】
【０００１】
本発明は、電気コネクタ、更に言えば、接触子のずれを防止する規制手段を有する電気コネクタに関する。
【背景技術】
【０００２】
従来電気コネクタの一例として、特開２００１−２７３９４９号公報に開示された表面実装型電気コネクタの特に雌コネクタの斜視図を図１５に示す。この図に示すように、従来の電気コネクタ（ここでは雌コネクタ）１には、相手コネクタとの嵌合時に、相手コネクタ（ここでは雄コネクタ）との嵌合位置を大まかに規制する手段である窪み部１１が設けられているだけで、相手コネクタとの嵌合位置を正確に規制する手段、更に言えば、コネクタの接触子同士の接触位置を規制してそれらの間の接続を確実にする手段を何ら有していなかった。このため、相手コネクタとの嵌合時に、相手コネクタの接触子や壁面との接触によって接触子（例えば、接触子１３）の位置がずれ、この結果、接触子間の接触状態が悪化するといった問題が生じていた。この問題は、接触子の配列方向、即ち、ピッチ方向において、特に大きな問題であり、また、接触子自体の幅や接触子同士の幅が小さくなればなる程大きな問題となる。
【０００３】
【特許文献１】特開２００１−２７３９４９号公報  表面実装型の従来一般の電気コネクタが開示されている。
【発明の開示】
【発明が解決しようとする課題】
【０００４】
本発明はこのような従来技術における問題点を解決するためになされたものであり、相手コネクタとの嵌合時に、相手コネクタとの嵌合位置をより正確に、更に言えば、各コネクタの各接触子同士の接触位置をも規制する手段を有する電気コネクタを提供することを目的とする。
【課題を解決するための手段】
【０００５】
上記の目的を達成するために、本発明は、第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタにおいて、前記第１コネクタの第１接触子は、前記第２コネクタとの嵌合側に向かって突出し且つ前記第２コネクタとの嵌合方向と交差する方向に延設された前記第１コネクタの配列部に複数配列されており、前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、前記第１コネクタと第２コネクタの嵌合時に、前記第１接触子の配列方向に沿って形成された凹凸と、前記第２接触子の配列方向に沿って形成された凸凹が互いに噛み合わされることを特徴としている。
【０００６】
また、本発明は、第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタに用いる前記第１コネクタにおいて、前記第１コネクタの第１接触子は、前記第２コネクタとの嵌合側に向かって突出し且つ前記第２コネクタとの嵌合方向と交差する方向に延設された前記第１コネクタの配列部に複数配列されており、前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、前記第１コネクタと第２コネクタの嵌合時に、前記第１接触子の配列方向に沿って形成された凹凸と、前記第２接触子の配列方向に沿って形成された凸凹が互いに噛み合わされることを特徴としている。
【０００７】
更に、本発明は、第１コネクタと第２コネクタの対から成り、前記第１コネクタと前記第２コネクタの嵌合時に前記第１コネクタに設けた複数の第１接触子と前記第２コネクタに設けた複数の第２接触子を互いに接触させる電気コネクタに用いる前記第２コネクタにおいて、前記第１コネクタの第１接触子は、前記第２コネクタとの嵌合側に向かって突出し且つ前記第２コネクタとの嵌合方向と交差する方向に延設された前記第１コネクタの配列部に複数配列されており、前記第２コネクタの第２接触子は、前記第１コネクタの第１接触子に対応して、前記第１コネクタとの嵌合側とは反対側に向かって窪みを有し且つ前記第１コネクタとの嵌合方向と交差する方向に延設された前記第２コネクタの嵌合空間に複数配列されており、前記第１コネクタと第２コネクタの嵌合時に、前記第１接触子の配列方向に沿って形成された凹凸と、前記第２接触子の配列方向に沿って形成された凸凹が互いに噛み合わされることを特徴としている。
【０００８】
上記電気コネクタにおいて、前記第１コネクタにおける凹凸の凸部は、前記第１コネクタの第１接触子と前記配列部によって形成されていてもよいし、前記第１コネクタの第１接触子のみによって形成されていてもよいし、前記第１コネクタの配列部のみによって形成されていてもよい。
上記電気コネクタにおいて、前記第１コネクタの第１接触子は、前記配列部の凹凸の凸部の外側壁と近接した状態若しくは接した状態で配置されていてもよい。
【０００９】
また、上記電気コネクタにおいて、前記第２コネクタの第２接触子は、前記嵌合空間の凸凹の凹部の内側壁と近接した状態若しくは接した状態で配置されていてもよい。
【００１０】
上記電気コネクタにおいて、前記第１コネクタの第１接触子の片側側面が、前記配列部と近接した状態若しくは接した状態で配置され、前記第２コネクタの第２接触子の片側側面が、前記勘合空間と近接した状態若しくは接した状態で配置されてもよい。
【００１１】
また、上記電気コネクタにおいて、前記第１コネクタの第１接触子の両側側面が、前記配列部と近接した状態若しくは接した状態で配置され、前記第２コネクタの第２接触子の両側側面が、前記勘合空間と近接した状態若しくは接した状態で配置されてもよい。
【００１２】
更に、上記電気コネクタにおいて、前記第１コネクタの配列部に前記第２コネクタとの嵌合側に前記第２コネクタを誘い込むための斜面が形成されており、又は、前記第２コネクタの嵌合空間の壁面の前記第１コネクタとの嵌合側に前記第１コネクタを誘い込むための斜面が形成されていてもよい。
【発明の効果】
【００１３】
本発明によれば、相手コネクタとの嵌合時に、相手コネクタとの嵌合位置を正確に規制し、また、コネクタの接触子同士の接触位置を規制してそれらの間の接続を確実にすることができ、これにより、取り分け、接触子のピッチ方向におけるずれを防止することができる。また、本発明によれば、相手コネクタの接触子と自身の接触子との間の接触状態を常に良好に保つことができることから、接触子の幅、若しくは、接触子間の幅をより小さくした狭ピッチの電気コネクタを提供することもできる。
【発明を実施するための最良の形態】
【００１４】
本発明の電気コネクタはいわゆる雄コネクタと雌コネクタの対から成る。これらは互いに所定向きで嵌合され、各コネクタに設けた接触子同士を互いに例えば１対１対応で電気的且つ物理的に接触させることができる。以下、雄コネクタと雌コネクタに分けてそれぞれの構成を説明する。尚、本実施形態では、特に、回路基板等に表面実装されるタイプの電気コネクタを例示するが、本発明はこのタイプの電気コネクタに限定されるものではない。
【００１５】
Ａ．第１実施形態
１．雄コネクタ
図１、図２に、本発明の第１実施形態による雄コネクタ２の斜視図とその概略正面図をそれぞれ示す。雄コネクタ２は、主に、絶縁ハウジング２１と、この絶縁ハウジング２１に固定される複数の雄接触子２３と、絶縁ハウジング２１に取り付けられて、雄コネクタ２を回路基板等へ固定するために用いる補強金具２５から成る。雄コネクタ２は、この補強金具２５の底面を半田付けすること等により、所定の回路基板等（図示されていない）に表面実装することができる。
【００１６】
絶縁ハウジング２１は、底板２７と、補強金具保持部２９、更に、接触子配列部３１を有する。補強金具保持部２９は、底板２７の両端にて雌コネクタ４との嵌合側（例えば、垂直上方）に向かって突出しており、全体として略直方形状を有する。尚、接触子配列部３１は、補強金具保持部２９と同様に雌コネクタ４との嵌合側に向かって底板２７から突出しているとともに、雌コネクタ４との嵌合方向と交差する方向（例えば、直交する方向）に延設される。尚、接触子配列部３１は、図示のように、補強金具保持部２９と連結されていてもよく、また、それらの間に直線状に連続的に延設されていてもよい。この接触子配列部３１には、例えば、接触子配列部３１の延設方向に沿って凹凸が形成されている。
【００１７】
雄接触子２３は、絶縁ハウジング２１の接触子配列部３１に凹凸に沿って配列される。例えば図示のように、雄接触子２３を、接触子配列部３１の延設方向において、相隣合う接触子と互いに等間隔で千鳥状に配列、固定してもよい、換言すれば、相隣合う雄接触子２３同士を、接触子配列部３１の延設方向と交差する方向（例えば、嵌合方向と延設方向の双方に対して直交する方向）において互いに１８０度向きが反対になるように配列、固定してもよい。各雄接触子２３は、接触子配列部３１に設けた凹凸の各凸部３３に１つずつ配置される。また、このとき、各雄接触子２３の片側側面２４は、各凸部３３の一方の外側壁３４と近接した状態若しくは接した状態とされる。このため、雄接触子２３のピッチ方向におけるずれを有効に防止することができる。尚、この実施形態では、雄接触子２３の他、接触子配列部自体にも凸部３３が形成されていることから、これらの組み合わせによって、より大きな凸部３９が形成されているとみることができる。この点は後に、雌コネクタ４との噛み合わせを考える上で重要である。
【００１８】
雌コネクタ４との嵌合時に、雄コネクタ２が雌コネクタ４にスムーズに誘い込まれるように、凸部３３や補強金具保持部２９の先端、即ち、雌コネクタ４との嵌合側に、誘い込み斜面３５乃至３７を設けてもよい。これらの誘い込み斜面３５乃至３７は、雄コネクタ２と雌コネクタ４との嵌合時に衝撃を吸収する役割も果たす。特に、接触子配列部３１に形成された凸部３３には、２つの誘い込み斜面が設けられている。一方は、接触子の配列方向と交差する方向（例えば、垂直方向）において凸部３３の上部の一部を切ることにより形成された斜面３６であり、他方は、接触子の配列方向において、接触子との接触側の対向側で凸部３３の上部の一部を切ることにより形成された斜面３７である。
【００１９】
２．雌コネクタ
図３、図４に、本発明の第１実施形態による雌コネクタ４の斜視図とその概略正面図を示す。雌コネクタ４は、主に、絶縁ハウジング４１と、この絶縁ハウジング４１に固定される複数の雌接触子４３と、絶縁ハウジング４１に取り付けられて、雌コネクタ４を回路基板等への固定するために用いる補強金具４５から成る。雌コネクタ４は、この補強金具４５の底面を半田付けすること等により、所定の回路基板等（図示されていない）に表面実装することができる。
【００２０】
絶縁ハウジング４１は、その両端に、補強金具４５を挿入固定する補強金具挿入孔５０を有する。これら補強金具挿入孔５０の対面側には、雄コネクタ２の補強金具保持部２９（図１、図２参照）に対応して、保持部嵌合空間４７が設けられている。保持部嵌合空間４７は、雄コネクタ２との嵌合側とは反対側に向かって窪んでおり、全体として直方形状を有する。
【００２１】
絶縁ハウジング４１は、更に、雄コネクタ２の接触子配列部３１に対応して、配列部嵌合空間４９を有する。尚、雄コネクタ２の接触子配列部３１と補強金具保持部２９が互いに連結されているのに対応して、配列部嵌合空間４９は、図示のように、保持部嵌合空間４７と連結されていてもよい。この配列部嵌合空間４９は、雄コネクタ２との嵌合側とは反対側に向かって窪みを有しているとともに、雄コネクタ２との嵌合方向と交差する方向（例えば、直交する方向）に延設される。この配列部嵌合空間４９には、雄コネクタ２の接触子配列部３１の凹凸に対応して、配列部嵌合空間４９の延設方向に沿って凸凹が形成される。
【００２２】
雌接触子４３は、絶縁ハウジング４１の配列部嵌合空間４９に凸凹に沿って配列される。雄接触子２３に対応して、雌接触子４３は、例えば配列部嵌合空間４９の延設方向において、相隣合う接触子と互いに等間隔で千鳥状に配列、固定してもよい。各雌接触子４３は、配列部嵌合空間４９に設けた凹凸の各凹部５２に１つずつ配置される。また、このとき、各雌接触子４３の片側側面４４は、各凹部５２の一方の内側壁５４と近接した状態若しくは接した状態とされる。このため、雌接触子４３のピッチ方向におけるずれを有効に防止することができる。尚、各凹部５２に突出している雌接触子４３の少なくとも一部（接触部）８３は、雄コネクタ２と雌コネクタ４の嵌合時にそれらの嵌合が妨げられることがないように、雄コネクタ２の雄接触子２３との接触を通じて、配列部嵌合空間４９の凹部５２の収容空間に引っ込むように可動とされている（後述する図６の８１、及び矢印ア）。
【００２３】
雄コネクタ２との嵌合時に、雌コネクタ４に雄コネクタ２がスムーズに誘い込まれるように、凸部５３や、補強金具挿入孔５０と保持部嵌合空間４７の間に、誘い込み斜面５５乃至５８を設けてもよい。これらの誘い込み斜面５５乃至５８は、雄コネクタ２と雌コネクタ４との嵌合時に衝撃を吸収する役割も果たす。特に、配列部嵌合空間４９に形成された凸部５３には、３つの誘い込み斜面が設けられている。１つは、接触子の配列方向と交差する方向（例えば、垂直方向）において凸部５３の上部の一部を切ることにより形成された斜面５６であり、１つは、接触子の配列方向において、接触子との接触側凸部５３の上部の一部を切ることにより形成された斜面５７であり、残る１つは、接触子の配列方向において、接触子との接触側の対向側で凸部５３の上部の一部を切ることにより形成された斜面５８である。斜面５７が斜面５８に比べて比較的大きく形成されているのは、斜面５７は、雌コネクタ４の接触子と隣接しているため、雄コネクタ２との嵌合時にこの雄コネクタ２の接触子と接触して削り取られるのを防止するためである。
【００２４】
３．嵌合状態
図５に、雄コネクタ２と雌コネクタ４の嵌合時における中心線概略断面図を示す。この図は上述した図２、図４に対応する。雄コネクタ２と雌コネクタ４が嵌合したとき、雄コネクタ２の補強金具保持部２９と接触子配列部３１が、雌コネクタ４の保持部嵌合空間４７と配列部嵌合空間４９にそれぞれ嵌合し、このとき、雄コネクタ２の凹凸、特に凸部３９と、雌コネクタ４の凸凹、特に凹部５２が互いに噛み合う（例えば、図１、図２の３３Ａで示す凸部は、図４の５２Ａで示す凹部と噛み合う）。更に別の言い方をすると、雄コネクタ２と雌コネクタ４が嵌合したとき、例えば、雄コネクタ２の凸部３３の外側壁３４−１と、この凸部３３に近接した状態若しくは接した状態で配置された雄接触子の片側側面２４−１が、雌コネクタ４の凹部５２の内側壁５４−１と内側壁５４−２と、それぞれ対面した状態となる。この結果、雄コネクタ２と雌コネクタ４の嵌合位置が規制されてそれらの接続がより確実なものとなり、また、各コネクタの各接触子同士の接触位置がより正確なものとなり、相手コネクタの接触子や壁面との接触による接触子の位置がずれ、特に、雄コネクタ２や雌コネクタ４の各接触子の配列方向、つまりピッチ方向におけるずれを、シビアにコントロールすることができる。また、雄コネクタ２と雌コネクタ４が嵌合した後は、それらに設けた凹凸や凸凹によって、例えば、コネクタ落下時の衝撃をそれらの各凹凸の壁部にて緩和することもできる。
【００２５】
４．接触子の詳細
次いで、図６を参照して雄接触子２３と雌接触子４３の詳細を説明する。この図６は、図５の６−６線断面図に対応する。
【００２６】
雄接触子２３は、絶縁ハウジング２１の底板２７の裏側から接触子配列部３１に設けた収容溝に挿入することにより、そこに配列、固定される。雄接触子２３は、全体として略Ｌ字形状を有する。Ｌ字の縦部分に相当する部分、即ち接触部６３は、絶縁ハウジング２１の底板２７の収容溝入り口６１から接触子配列部３１に挿入される。一方、Ｌ字の横部分に相当する部分、即ち脚部６５は、絶縁ハウジング２１の底板２７付近に配置され、脚部６５の係止突起６７により絶縁ハウジング２１の底板２７の収容溝入り口６１付近に圧入される。実際の使用時には、Ｌ字の底面に設けた出っ張り部６９が、表面実装される回路基板等の対応回路に半田付けされる。
【００２７】
雌接触子４３は、絶縁ハウジング４１の底側から各配列部嵌合空間４９に設けた収容溝７１に挿入することにより、そこに配列、固定される。雌接触子４３は、略直線状の固定部７３と、この固定部７３の端部付近から延びるＣ字状に湾曲した弾性腕部７５を有する。固定部７３は、絶縁ハウジング４１の各収容溝７１の、特に固定溝部７６に挿入、配置され、固定部７３の係止突起７７により絶縁ハウジング４１の固定溝部７６に圧入固定される。実際の使用時には、固定部７３の出っ張り部７９が、表面実装される回路基板等の対応回路に半田付けされる。一方、弾性腕部７５は、固定溝部７６から開放溝部８１中に延びており、弾性腕部７５先端の接触部８３は、開放溝部８１の開放空間において、図示矢印ア方向に弾性変形可能である。接触部８３は、雄コネクタ２との嵌合時に、雄コネクタ２の雄接触子２３との接触を通じて弾性変形され、開放溝部８１中に移動する、つまり、収容空間に引っ込む。また、この弾性腕部７５の弾性力により、雄コネクタ２の雄接触子２３と雌コネクタ４の雌接触子４３は、互いに電気的且つ物理的に確実に接触される。
【００２８】
Ｂ．第２実施態様
図７乃至図１４を参照して、本発明の第２実施形態を説明する。ここでは、第１実施形態との相違を中心に説明する。特に説明しない点は、第１実施形態と同様に考えてよい。尚、第１実施形態の部材と同様の部材には同じ参照番号を用い且つ「’」を付している。
【００２９】
図７、図８は、第１実施形態の図１、図２に対応する。これらはそれぞれ、第２実施形態による雄コネクタの斜視図とその概略正面図である。また、図９、図１０は、第１実施形態の図３、図４に対応する。これらはそれぞれ、第２実施形態による雌コネクタの斜視図とその概略正面図である。図１１は、第１実施形態の図５に対応し、雄コネクタと雌コネクタの嵌合時における中心線概略断面図を示している。尚、図１２乃至図１４は、図１１の１２−１２線断面図であって第１実施形態の図６に対応するが、ここでは、雄コネクタの雄接触子と雌コネクタの雌接触子の接触が段階的に示されている。
【００３０】
第２実施形態の雄コネクタ２’には、第１実施形態と異なり、接触子配列部３１’自体に凸部（図１の３３）は設けられておらず、雄コネクタ２’の雄接触子２３’のみによって凸部３９’が形成されている。この凸部３９’は、雌コネクタ４’の凹部５２’と１対１対応で噛み合う。
【００３１】
また、第２実施形態の雄コネクタ２’には、第１実施形態と異なり、底板（図１の２７）のようなものは設けられていない。このため、雄接触子２３’の脚部６５’は外部に露出され、回路基板等への半田付けは、これら露出された接触子の脚部６５’の出っ張り６９’によってなされる。したがって、第１実施形態のように、補強金具（図１の２５）や補強金具保持部（図１の２９）は設けられていない。代わりに、補強金具保持部に相当する矩形突出部２９’が設けられている。同様に、雌コネクタ４’には、補強金具（図３の４５）や補強金具挿入孔（図３の５０）は設けられていない。
【００３２】
第２の実施形態の雄コネクタ２’の雄接触子２３’と雌コネクタ４’の雌接触子４３’の形状は、それぞれ、２タイプ（即ち、雄接触子２３’Ａ、２３’Ｂと雌接触子４３’Ａ、４３’Ｂ）存在する。雄接触子２３は、接触子配列部３１’の延設方向において、相隣合う接触子と等間隔で配列されており、互いにタイプの異なる雄接触子２３’Ａと雄接触子２３’Ｂが交互に、また、それぞれのタイプが接触子配列部３１’の延設方向と交差する方向に（例えば、嵌合方向と延設方向の双方に対して直交する方向に）全て同じ向きで配列されている。同様に、雌接触子４３は、配列部嵌合空間４９’の延設方向において、相隣合う接触子と等間隔で交互に配列されており、互いにタイプの異なる雌接触子４３’Ａと雌接触子４３’Ｂが交互に、また、それぞれのタイプが配列部勘合空間４９’の延設方向と交差する方向に（例えば、嵌合方向と延設方向の双方に対して直交する方向に）全て同じ向きで配列されている。
【００３３】
尚、第２実施形態では、各接触子２３’、４３’は、その片側側面だけでなく、その両側側面２４’、４４’にて、接触子配列部３１’や配列部勘合空間４９’と近接した状態で若しくは接した状態で配置される。従って、ここでは、各接触子２３’、４３’がその両側側面において規制されることになるから、第１の実施形態に比べて、接触子２３’、４３’のピッチ方向におけるずれをより完全に防止することができる。
【００３４】
第２実施形態においても、接触子配列部３１’や配列部嵌合空間４９’に、相手コネクタとの嵌合側に相手コネクタを誘い込むための斜面が設けられている。接触子配列部３１’には、特に、２タイプの３つの斜面３６’、３７’、３７’が設けられている。斜面３６’は、接触子の配列方向と交差する方向（例えば、垂直方向）において接触子配列部３１’の上部の一部を切ることにより形成されており、斜面３６’を両側から挟み込むようにして設けられた対称形状の２つの斜面３７’は、接触子の配列方向において、接触子との接触側で接触子配列部３１’の上部の一部を切ることにより形成されている。一方、配列部嵌合空間４９’にも、２タイプの３つの斜面５６’、５７’、５７’が設けられている。斜面５６’は、接触子の配列方向と交差する方向（例えば、垂直方向）において配列部嵌合空間４９’を形成する壁面上部の一部を切ることにより形成されており、斜面５６’を両側から挟み込むようにして設けられた対称形状の２つの斜面５７’は、接触子の配列方向において、接触子との接触側で配列部嵌合空間４９’の壁面上部の一部を切ることにより形成されている。
【００３５】
図１２から明らかなように、一方の接触子２３’Ａは、全体として略コ字状であり、もう一方の接触子２３’Ｂは、同様に略コ字状であるが外部に延びる脚部６２を有する。いずれも、接触部６３’等によって形成されるコの字の中央空間部分に、絶縁ハウジング２１’の突出部６０を圧入するすることによって絶縁ハウジング２１’の所定位置に固定され得る。この取り付けは、絶縁ハウジング２１’の裏側からではなく表側から行う。
【００３６】
雌コネクタ４’の雌接触子も、２タイプ、即ち、雌接触子４３’Ａと４３’Ｂがある。これらは互いに一部部分の寸法が異なるだけで、略相似形状を有する。雌コネクタ４’の雌接触子４３’は、雄コネクタ２’の雄接触子２３’と同様の略コ字状部分７０と、コ字状部分の一部７８から延びるＣ字状に湾曲した弾性腕部７５’から成る。略コ字状部分７０の中央空間部分に、絶縁ハウジング４１’の突出部４６を圧入することによって絶縁ハウジング４１’の所定位置に固定され得る。尚、弾性腕部７５’の形状は第１実施形態のものと略同様であり、略同様の働きを持つ。
【００３７】
次いで、図１２乃至図１４を参照して、雄コネクタの雄接触子２３’と雌コネクタの雌接触子４３’の接触を段階的に説明する。図１２に示すように、雄コネクタ２’と雌コネクタ４’とが接近すると、図１３に示すように、例えば、雄コネクタ２’の矩形突出部２９’と雌コネクタ４’の斜面５５’付近が衝突し、一方のコネクタが他方のコネクタに対して、例えば、図示のように雄コネクタ２’が雌コネクタ４’に対して、所定の角度を有する状態となる。図面では明らかにされていないが、各コネクタが表面実装される回路基板等の大きさ（面積）は、コネクタのそれに比べてかなり大きな場合があり、このような場合、ユーザはコネクタ間の接触状態を容易に目視することができない。しかしながら、誘い込み斜面５５’等によって案内されることにより、雄コネクタ２’と雌コネクタ４’は比較的容易に嵌合され得る。図１４に示すように、雄コネクタ２’と雌コネクタ４’が嵌合されたとき、雄コネクタ２’の雄接触子２３’によって、雌コネクタ４’の雌接触子４３’の、特に弾性腕部７５’が収容溝の開放溝部８１’中に弾性変形される。このため、雌コネクタ４’の雌接触子４３’によって雄コネクタ２’と雌コネクタ４’の嵌合が妨げられることはない。また、弾性腕部７５’の弾性作用により、雄コネクタの雄接触子と雌コネクタの雌接触子は確実に接触する。尚、上述したように、雄コネクタや雌コネクタの各接触子２３’、４３’は、その両側側面にて規制されていることから、この嵌合作業中、配列方向における各接触子のずれは略完全に防止され得る。また、ここでは、雄コネクタ２’と雌コネクタ４’が嵌合されたとき、雄接触子２３’Ｂの脚部６２が、雌接触子４３’Ｂの上部空間５９に嵌まり込むようになっていることから、これによっても配列方向における各接触子のずれを防止することができる。
【００３８】
Ｃ．変形態様
特に図示しないが、第１実施形態の変形態様として、接触子を凸部の外側壁と近接した状態若しくは接した状態で配置させずに、凸部３３や５３同士の隙間、例えば中間位置に配置してもよい。この場合には、雄コネクタの接触子配列部３１のみによって形成される凹凸と雌コネクタの配列部嵌合空間４９の凸凹との噛み合わせによって、狭ピッチの接触子の配列方向、つまりピッチ方向におけるずれをある程度防止することができる。
【００３９】
Ｄ．その他
尚、上の実施形態では、雄コネクタに接触子配列部を２列、これに対応して、雌コネクタに接触子配列嵌合空間を２列設けることとしているが、必ずしも２列とする必要はなく、１列であってもよいし、その他の複数列であってもよい。
【００４０】
また、上の実施形態では、全ての接触子を、相隣合う接触子と同じ間隔をおいて配列するとしたが、例えば、中間付近の接触子についてはクリアランスを大きく、つまり、それらの間隔を大きくしたり或いはラフにしてもよい。このような構成とすることにより、中間付近で規制されていない分、雄コネクタと雌コネクタの間の嵌合はよりスムーズになる。
【００４１】
更に、上の実施形態では、雄コネクタの接触子配列部や雌コネクタの配列部嵌合空間を直線上に連続的に延在するものとしたが、例えば、これらを断続的に設けてもよいし、また、曲線状に形成してもよい。重要なのは、接触子のずれ防止のための規制手段が設けられていることにある。
【００４２】
更に、上の実施形態では、接触子配列部３１、３１’の凸部を、雄接触子と接触子配列部の両者によって、若しくは、雄接触子のみによって、形成するものとしたが、雄接触子を用いずに、接触子配列部のみによって形成するものとしてもよい。
【産業上の利用可能性】
【００４３】
本発明の電気コネクタは、回路基板等の電気的接続のために幅広く利用することができる。
【図面の簡単な説明】
【００４４】
【図１】本発明の第１実施形態による雄コネクタの斜視図である。
【図２】本発明の第１実施形態による雄コネクタの概略正面図である。
【図３】本発明の第１実施形態による雌コネクタの斜視図である。
【図４】本発明の第１実施形態による雌コネクタの概略正面図である。
【図５】雄コネクタと雌コネクタの嵌合時における中心線概略断面図である。
【図６】図５の６−６線断面図である。
【図７】本発明の第２実施形態による雄コネクタの斜視図である。
【図８】本発明の第２実施形態による雄コネクタの概略正面図である。
【図９】本発明の第２実施形態による雌コネクタの斜視図である。
【図１０】本発明の第２実施形態による雌コネクタの概略正面図である。
【図１１】本発明の第２実施形態による雄コネクタと雌コネクタの嵌合時における中心線概略断面図である。
【図１２】図１１の１２−１２線断面図である。
【図１３】本発明の第２実施形態による雄コネクタの接触子と雌コネクタの接触子の接触の途中段階を示す図である。
【図１４】本発明の第２実施形態による雄コネクタの接触子と雌コネクタの接触子の接触の完了状態を示す図である。
【図１５】従来電気コネクタの一例を示す斜視図である。
【符号の説明】
【００４５】
２  雄コネクタ
４  雌コネクタ
２１  絶縁ハウジング
２３  雄接触子
２９  補強金具保持部
３１  接触子配列部
３３  凸部
４７  保持部嵌合空間
４９  配列部嵌合空間
５２  凹部
【図１】
2005100903.tif 000003
【図２】
2005100903.tif 000004
【図３】
2005100903.tif 000005
【図４】
2005100903.tif 000006
【図５】
2005100903.tif 000007
【図６】
2005100903.tif 000008
【図７】
2005100903.tif 000009
【図８】
2005100903.tif 000010
【図９】
2005100903.tif 000011
【図１０】
2005100903.tif 000012
【図１１】
2005100903.tif 000013
【図１２】
2005100903.tif 000014
【図１３】
2005100903.tif 000015
【図１４】
2005100903.tif 000016
【図１５】
2005100903.tif 000017